(57)【要約】【課題】消費電力低減と緊急対応とを両立すること。【解決手段】実施形態の管理システムは、複数の医用画像診断装置と、当該複数の医用画像診断装置と院内ネットワークを介して接続される管理装置とを含む。前記管理装置は、記憶部と管理部とを備える。前記記憶部は、前記院内ネットワークを介して登録された検査予約情報を記憶する。前記管理部は、前記複数の医用画像診断装置それぞれが有する電源部を管理する機能を有し、前記複数の医用画像診断装置それぞれの電力モードを、稼動モードと省電力モードとのいずれかに切り替える指示を、前記検査予約情報に基づいて送出する。更に、前記管理部は、緊急検査の要求を受け付けた時点で、前記複数の医用画像診断装置の全て、又は、一部の医用画像診断装置の中で、前記省電力モードの医用画像診断装置に対して、前記稼動モードへと移行する指示を送出する。【選択図】図３
2014233549.tif 000002
【特許請求の範囲】
【請求項１】
複数の医用画像診断装置と、当該複数の医用画像診断装置と院内ネットワークを介して接続される管理装置とを含む管理システムであって、
前記管理装置は、
前記院内ネットワークを介して登録された検査予約情報を記憶する記憶部と、
前記複数の医用画像診断装置それぞれが有する電源部を管理する機能を有し、前記複数の医用画像診断装置それぞれの電力モードを、医用画像データを撮影可能な稼動モードと非稼動時の電力消費量を低減する省電力モードとのいずれかに切り替える指示を、前記検査予約情報に基づいて送出し、更に、緊急検査の要求を受け付けた時点で、前記複数の医用画像診断装置の全て、又は、一部の医用画像診断装置の中で、前記省電力モードの医用画像診断装置に対して、前記稼動モードへと移行する指示を送出する管理部と、
を備えたことを特徴とする管理システム。
【請求項２】
前記一部の医用画像診断装置は、前記複数の医用画像診断装置の中で予め設定された少なくとも１つの医用画像診断装置、又は、前記複数の医用画像診断装置の中で前記緊急検査の要求に応じて指定された少なくとも１つの医用画像診断装置であることを特徴とする請求項１に記載の管理システム。
【請求項３】
前記管理部は、前記電力モードの管理対象となる医用画像診断装置が有する電源部から供給される電力のオン及びオフ、又は、電力レベルを管理して、当該医用画像診断装置の電力モードの切り替えを行なうことを特徴とする請求項１又は２に記載の管理システム。
【請求項４】
前記管理部は、前記省電力モードが複数段階の省電力モードとなるように管理することを特徴とする請求項１〜３のいずれか１つに記載の管理システム。
【請求項５】
前記管理部は、前記複数の医用画像診断装置の全て、又は、前記一部の医用画像診断装置の省電力モードの段階を、所定時間内に前記稼動モードに移行可能な段階に設定することを特徴とする請求項４に記載の管理システム。
【請求項６】
前記管理部は、救急電話と連動して、前記緊急検査の要求に応じた電力モードの管理を行なうことを特徴とする請求項１〜５のいずれか１つに記載の管理システム。
【請求項７】
前記管理部は、院内電話と連動して、前記緊急検査の要求に応じた電力モードの管理を行なうことを特徴とする請求項１〜５のいずれか１つに記載の管理システム。
【請求項８】
前記管理部は、院内ネットワークに無線接続された無線端末と連動して、前記緊急検査の要求に応じた電力モードの管理を行なうことを特徴とする請求項１〜５のいずれか１つに記載の管理システム。
【請求項９】
前記管理部は、院内ネットワークに有線接続された機器と連動して、前記緊急検査の要求に応じた電力モードの管理を行なうことを特徴とする請求項１〜５のいずれか１つに記載の管理システム。
【請求項１０】
前記管理部は、院内ネットワークに専用回線で接続された機器と連動して、前記緊急検査の要求に応じた電力モードの管理を行なうことを特徴とする請求項１〜５のいずれか１つに記載の管理システム。
【請求項１１】
前記電力モードの管理対象となる医用画像診断装置は、前記管理部から受信した前記稼動モードへの移行指示を承認した操作者が正規の操作者であると認証された場合に、当該移行指示を実行することを特徴とする請求項１〜１０のいずれか１つに記載の管理システム。
【請求項１２】
前記管理部は、前記緊急検査の要求を受け付けた時点で、前記稼動モードへと移行する指示を送出した医用画像診断装置が撮影した医用画像データの解析を行なう画像処理装置の電力モードが非稼動時の電力消費量を低減する省電力モードである場合に、画像処理による解析可能な稼動モードに移行する指示を当該画像処理装置に送出することを特徴とする請求項１〜１１のいずれか１つに記載の管理システム。
【請求項１３】
医用画像データの撮影に用いられる複数の装置と、
前記複数の装置それぞれに電力を供給する電源部と、
前記電源部から供給される電力を制御する機能を有し、院内ネットワークを介して管理装置から受信した電力モードの移行指示に基づいて、前記医用画像データを撮影可能な稼動モードと、非稼動時の電力消費量を低減する省電力モードとのいずれかに切り替える制御部と、
を備えたことを特徴とする医用画像診断装置。
【発明の詳細な説明】
【技術分野】
【０００１】
本発明の実施形態は、管理システム及び医用画像診断装置に関する。
【背景技術】
【０００２】
従来、Ｘ線ＣＴ（Computed  Tomography）装置の電力モードを、検査の予約情報を用いて、管理する方法が提案されている。この管理方法を実行するＸ線ＣＴ装置は、例えば、放射線科情報システム（ＲＩＳ：Radiology  Information  System）や、病院情報システム（ＨＩＳ：Hospital  Information  System）から検査の予約情報を取得する。そして、Ｘ線ＣＴ装置は、検査の無い時間帯では省電力モードに移行し、検査の予約時間から遡った時刻からＸ線ＣＴ画像を撮影可能な稼動モードに移行する。
【０００３】
ここで、病院内に設置された医用画像診断装置を運用する際には、予約に従った検査だけでなく、緊急の検査にも対応する必要がある。しかし、上記の管理方法は、予約に従った検査には対応できるが、緊急検査には即座に対応することができなかった。また、病院内に設置される医用画像診断装置の中には、起動に時間がかかる装置があり、緊急対応のためには、起動時間に応じて適切な運用を行なう必要がある。
【先行技術文献】
【特許文献】
【０００４】
【特許文献１】特開２０１２−３４７９１号公報
【発明の概要】
【発明が解決しようとする課題】
【０００５】
本発明が解決しようとする課題は、消費電力低減と緊急対応とを両立することができる管理システム及び医用画像診断装置を提供することである。
【課題を解決するための手段】
【０００６】
実施形態の管理システムは、複数の医用画像診断装置と、当該複数の医用画像診断装置と院内ネットワークを介して接続される管理装置とを含む。前記管理装置は、記憶部と管理部とを備える。前記記憶部は、前記院内ネットワークを介して登録された検査予約情報を記憶する。前記管理部は、前記複数の医用画像診断装置それぞれが有する電源部を管理する機能を有し、前記複数の医用画像診断装置それぞれの電力モードを、医用画像データを撮影可能な稼動モードと非稼動時の電力消費量を低減する省電力モードとのいずれかに切り替える指示を、前記検査予約情報に基づいて送出する。更に、前記管理部は、緊急検査の要求を受け付けた時点で、前記複数の医用画像診断装置の全て、又は、一部の医用画像診断装置の中で、前記省電力モードの医用画像診断装置に対して、前記稼動モードへと移行する指示を送出する。
【図面の簡単な説明】
【０００７】
【図１】図１は、第１の実施形態に係る管理システムの構成例を説明するための図である。
【図２】図２は、医用画像診断装置として図１に示す管理システムに設置されたＸ線ＣＴ装置の構成例を説明するための図である。
【図３】図３は、第１の実施形態に係るサーバの構成例を説明するための図である。
【図４】図４は、図３に示す記憶部が記憶する電源管理情報の一例を説明するための図（１）である。
【図５】図５は、図３に示す記憶部が記憶する電源管理情報の一例を説明するための図（２）である。
【図６】図６は、第１の実施形態に係るサーバの管理処理の概要を説明するための図である。
【図７】図７は、第１の実施形態に係る管理システムで行なわれる認証処理の一例を示す図である。
【図８】図８は、第２の実施形態に係る管理システムの構成例を説明するための図である。
【図９】図９は、第２の実施形態に係る管理部を説明するための図（１）である。
【図１０】図１０は、第２の実施形態に係る管理部を説明するための図（２）である。
【図１１】図１１は、第２の実施形態に係る管理部を説明するための図（３）である。
【図１２】図１２は、第２の実施形態に係るサーバの処理例を示すフローチャートである。
【図１３】図１３は、第２の実施形態の変形例を説明するための図である。
【発明を実施するための形態】
【０００８】
以下、添付図面を参照して、管理システムの実施形態を詳細に説明する。
【０００９】
（第１の実施形態）
まず、第１の実施形態に係る管理システムの構成例について説明する。図１は、第１の実施形態に係る管理システムの構成例を説明するための図である。
【００１０】
図１に示すように、第１の実施形態に係る管理システム１は、サーバ１０と、クライアント端末２０と、複数の医用画像診断装置（３０−１、３０−２、３０−３、・・・、３０−ｎ）とを含む。なお、以下では、図１に示す各医用画像診断装置を、医用画像診断装置３０と記載する場合がある。図１に例示する各装置は、病院内に設置された院内ネットワーク２により、直接的、又は間接的に相互に通信可能な状態となっている。院内ネットワーク２は、例えば、院内ＬＡＮ（Local  Area  Network）である。
【００１１】
図１に示す管理システム１は、例えば、放射線科情報システム（ＲＩＳ：Radiology  Information  System）が導入されたコンピュータシステムである。ＲＩＳは、放射線科の業務を効率的に進めるためのコンピュータシステムであり、放射線科に対する検査オーダーの予約の受け付け、検査の予約管理等を行なうためのシステムである。或いは、図１に示す管理システム１は、例えば、病院情報システム（ＨＩＳ：Hospital  Information  System）が導入されたコンピュータシステムである。ＨＩＳは、病院内の業務を効率的に行なうためのコンピュータシステムであり、医事会計システム、検査オーダーシステム、薬剤システム等から構成される。或いは、図１に示す管理システム１は、ＲＩＳ及びＨＩＳに適合したコンピュータシステムである。
【００１２】
クライアント端末２０は、病院内に勤務する検査技師が検査オーダーを登録するための装置である。或いは、クライアント端末２０は、病院内に勤務する医師や検査技師に医用画像データを閲覧させるための装置である。或いは、クライアント端末２０は、病院内に勤務する医師が医用画像データを参照して、レポート作成を行なうための装置である。例えば、クライアント端末２０は、ＰＣ（Personal  Computer）やタブレット式ＰＣ、ＰＤＡ（Personal  Digital  Assistant）等である。なお、図１では、クライアント端末２０を１台しか図示していないが、実際には、管理システム１には、複数台のクライアント端末２０が設置される。
【００１３】
サーバ１０は、管理システム１で行なわれる処理全体を管理する管理装置である。具体的には、サーバ１０は、院内ネットワーク２を介して、ＨＩＳやＲＩＳで受け付けた検査予約情報を取得し、取得した検査予約情報を管理する装置である。第１の実施形態に係るサーバ１０は、図１に示す各医用画像診断装置３０の電力モードを、検査予約情報に基づいて管理する。これについては、後に詳述する。
【００１４】
複数の医用画像診断装置（３０−１、３０−２、３０−３、・・・、３０−ｎ）それぞれは、予約された検査オーダーに従って、医用画像データの撮影を行なう。例えば、医用画像診断装置３０−１は、Ｘ線ＣＴ（Computed  Tomography）装置であり、医用画像診断装置３０−２は、Ｘ線診断装置であり、医用画像診断装置３０−ｎは、ＭＲＩ（Magnetic  Resonance  Imaging）装置である。
【００１５】
Ｘ線ＣＴ装置は、Ｘ線を照射するＸ線管と被検体を透過したＸ線を検出する検出器とを対向する位置に支持して回転可能な回転フレームを有する。Ｘ線ＣＴ装置は、Ｘ線管からＸ線を照射させながら回転フレームを回転させることで、投影データを収集し、投影データから１断面や複数断面のＸ線ＣＴ画像データを再構成する。また、Ｘ線診断装置は、Ｘ線を照射するＸ線管と被検体を透過したＸ線を検出する検出器と支持するＣアームの位置を、撮影部位に応じて回転移動して、Ｘ線画像データを生成する。
【００１６】
また、ＭＲＩ装置は、位相エンコード用傾斜磁場、スライス選択用傾斜磁場及び周波数エンコード用傾斜磁場を変化させることで収集したＭＲ信号から、任意の１断面のＭＲＩ画像や、任意の複数断面のＭＲＩ画像（ボリュームデータ）を再構成する。
【００１７】
ここで、図２を用いて、医用画像診断装置３０−１として管理システム１に設置されたＸ線ＣＴ装置の構成例について説明する。図２は、医用画像診断装置として図１に示す管理システムに設置されたＸ線ＣＴ装置の構成例を説明するための図である。図２に示すように、医用画像診断装置３０−１としてのＸ線ＣＴ装置は、架台装置３１０と、寝台装置３２０と、コンソール装置３３０と、電源部３４０とを有する。
【００１８】
架台装置３１０は、被検体ＰにＸ線を照射し、被検体Ｐを透過したＸ線の検出データから投影データを収集する装置であり、Ｘ線照射制御部３１１と、Ｘ線発生装置３１２と、検出器３１３と、収集部３１４と、回転フレーム３１５と、架台駆動部３１６と、検出器制御部３１７とを有する。
【００１９】
回転フレーム３１５は、後述するＸ線管３１２ａを有するＸ線発生装置３１２と検出器３１３とを被検体Ｐの周囲で回転可能に支持する。回転フレーム３１５は、Ｘ線発生装置３１２と検出器３１３とを被検体Ｐを挟んで対向支持し、後述する架台駆動部３１６によって被検体Ｐを中心した円軌道にて高速に回転する円環状のフレームである。
【００２０】
Ｘ線発生装置３１２は、Ｘ線を発生し、発生したＸ線を被検体Ｐへ照射する装置であり、Ｘ線管３１２ａと、ウェッジ３１２ｂと、コリメータ３１２ｃとを有する。
【００２１】
Ｘ線管３１２ａは、Ｘ線を曝射する。具体的には、Ｘ線管３１２ａは、後述するＸ線照射制御部３１１により供給される高電圧により被検体ＰにＸ線ビームを発生する真空管である。Ｘ線管３１２ａは、回転フレーム３１５の回転にともない、Ｘ線ビームを被検体Ｐに対して曝射する。Ｘ線管３１２ａは、ファン角及びコーン角を持って広がるＸ線ビームを発生する。
【００２２】
ウェッジ３１２ｂは、Ｘ線管３１２ａから曝射されたＸ線のＸ線量を調節するためのＸ線フィルタである。コリメータ３１２ｃは、後述するＸ線照射制御部３１１の制御により、ウェッジ３１２ｂによってＸ線量が調節されたＸ線の照射範囲を絞り込むためのスリットである。
【００２３】
Ｘ線照射制御部３１１は、高電圧発生部として、Ｘ線管３１２ａに高電圧を供給する装置であり、Ｘ線管３１２ａは、Ｘ線照射制御部３１１から供給される高電圧を用いてＸ線を発生する。Ｘ線照射制御部３１１は、Ｘ線管３１２ａに供給する管電圧や管電流を調整することで、被検体Ｐに対して照射されるＸ線量を調整する。また、Ｘ線照射制御部３１１は、コリメータ３１２ｃの開口度を調整することにより、Ｘ線の照射範囲（ファン角やコーン角）を調整する。
【００２４】
ここで、Ｘ線管３１２ａは、陰極フィラメントと陽極ターゲットとを有する。陰極フィラメントは、Ｘ線照射制御部３１１から供給されるフィラメント電流により所定の温度まで加熱されると、電子を放出可能となる。陰極フィラメントから放出された電子は、陰極フィラメントと陽極ターゲットとの間に印加された電圧に応じた速度で、陽極ターゲットに衝突する。これにより、Ｘ線管３１２ａは、Ｘ線を発生する。また、電子が衝突することで、陽極ターゲットの温度は上昇する。このため、Ｘ線管３１２ａには、Ｘ線の発生により蓄積された熱の過負荷による故障を防止するための冷却装置（図示せず）が取り付けられている。Ｘ線照射制御部３１１は、陰極フィラメントの温度をフィラメント電流により制御するとともに、冷却装置による冷却を制御することで、Ｘ線管３１２ａの温度管理を行なっている。
【００２５】
架台駆動部３１６は、回転フレーム３１５を回転駆動させることによって、被検体Ｐを中心とした円軌道上でＸ線発生装置３１２と検出器３１３とを旋回させる。
【００２６】
検出器３１３は、Ｘ線管３１２ａから曝射され被検体Ｐを透過したＸ線を検出する。具体的には、検出器３１３は、２次元状に配列された検出素子により、Ｘ線管３１２ａから曝射されて被検体Ｐを透過したＸ線を検出する。図２に示す検出器３１３は、被検体Ｐを透過したＸ線の強度分布を示すＸ線強度分布データを出力する２次元アレイ型検出器（面検出器）である。検出器３１３には、チャンネル方向（図２に示すＹ軸方向）に配列された複数の検出素子（検出素子列）が、被検体Ｐの体軸方向（図２に示すＺ軸方向）に沿って複数列配列される。
【００２７】
ここで、検出器３１３を構成する検出素子は、温度に依存してＸ線感度が変化する。このため、検出器３１３には、ヒーター（図示せず）が接続されており、このヒーターは、各検出素子のＸ線感度を一定の範囲に保つための下限温度まで、検出器３１３を加熱する。なお、このヒーターは、検出器３１３の故障を防止するために、上限温度を超えないように、加熱を行なう。図２に示す検出器制御部３１７は、検出器３１３に接続されるヒーターを制御することで、検出器３１３の温度管理を行なっている。
【００２８】
収集部３１４は、ＤＡＳ（data  acquisition  system）であり、検出器３１３が検出したＸ線の検出データを収集して、投影データを生成する。例えば、収集部３１４は、検出器３１３により検出されたＸ線強度分布データに対して、増幅処理やＡ／Ｄ変換処理等を行なって投影データを生成し、生成した投影データを後述するコンソール装置３３０に送信する。
【００２９】
寝台装置３２０は、被検体Ｐを載せる装置であり、天板３２２と、寝台駆動装置３２１とを有する。天板３２２は、被検体Ｐが載置される板である。寝台駆動装置３２１は、後述するスキャン制御部３３３の制御のもと、天板３２２をＺ軸方向へ移動することにより、被検体Ｐを回転フレーム３１５内（撮影空間内）に移動させる。
【００３０】
コンソール装置３３０は、操作者によるＸ線ＣＴ装置の操作を受け付けるとともに、架台装置３１０によって収集された投影データからＸ線ＣＴ画像データを再構成する装置であり、入力装置３３１と、表示装置３３２と、スキャン制御部３３３と、前処理部３３４と、投影データ記憶部３３５と、画像再構成部３３６と、画像記憶部３３７と、制御部３３８と、通信部３３９とを有する。
【００３１】
入力装置３３１は、Ｘ線ＣＴ装置の操作者が各種指示や各種設定の入力に用いるマウスやキーボード、ボタン、ペダル（フットスイッチ）等を有し、操作者から受け付けた指示や設定の情報を、制御部３３８に転送する。
【００３２】
表示装置３３２は、操作者が参照するモニタであり、制御部３３８による制御のもと、Ｘ線ＣＴ画像データを操作者に表示したり、入力装置３３１を介して操作者から各種指示や各種設定等を受け付けるためのＧＵＩ（Graphical  User  Interface）を表示したりする。
【００３３】
スキャン制御部３３３は、後述する制御部３３８の制御のもと、Ｘ線照射制御部３１１、架台駆動部３１６、検出器制御部３１７、収集部３１４及び寝台駆動装置３２１の動作を制御することで、架台装置３１０における投影データの収集処理を制御する。
【００３４】
前処理部３３４は、収集部３１４によって生成された投影データに対して、チャンネル間の感度補正処理と、対数変換処理と、オフセット補正、感度補正及びビームハードニング補正等の補正処理とを行なって、補正済みの投影データを生成する。以下では、前処理部３３４が生成する補正済みの投影データを再構成用投影データと記載する。
【００３５】
投影データ記憶部３３５は、前処理部３３４により生成された再構成用投影データを記憶する。画像再構成部３３６は、投影データ記憶部３３５が記憶する再構成用投影データを用いてＸ線ＣＴ画像データを再構成する。再構成方法としては、種々の方法があり、例えば、逆投影処理が挙げられる。また、逆投影処理としては、例えば、ＦＢＰ（Filtered  Back  Projection）法による逆投影処理が挙げられる。或いは、画像再構成部３３６は、逐次近似法を用いて、Ｘ線ＣＴ画像データを再構成しても良い。
【００３６】
制御部３３８は、架台装置３１０、寝台装置３２０及びコンソール装置３３０の動作を制御することによって、Ｘ線ＣＴ装置の全体制御を行う。具体的には、制御部３３８は、スキャン制御部３３３を制御することで、架台装置３１０で行なわれるスキャンを制御する。また、制御部３３８は、前処理部３３４や、画像再構成部３３６を制御することで、コンソール装置３３０における画像再構成処理を制御する。また、制御部３３８は、画像記憶部３３７が記憶する各種画像データを、表示装置３３２に表示するように制御する。
【００３７】
通信部３３９は、ＮＩＣ（Network  Interface  Card）等であり、管理システム１に含まれる他の装置との間で、院内ネットワーク２を介した通信を行う。
【００３８】
電源部３４０は、Ｘ線ＣＴ画像データの撮影に用いる架台装置３１０、寝台装置３２０及びコンソール装置３３０それぞれに電力を供給する電源である。電源部３４０は、架台装置３１０を構成する複数の装置それぞれに電力を供給する。また、電源部３４０は、寝台装置３２０を構成する複数の装置それぞれに電力を供給する。また、電源部３４０は、コンソール装置３３０を構成する複数の装置それぞれに電力を供給する。制御部３３８は、電源部３４０から供給される電力を制御する機能を有する。制御部３３８は、この電力制御機能を用いて、Ｘ線ＣＴ装置である医用画像診断装置３０−１の電力モードを、医用画像データを撮影可能な稼動モードと、非稼動時の電力消費量を低減する省電力モードとのいずれかに切り替える。ただし、稼動モードと省電力モードとの切り替え制御には、コンソール装置３３０の再構成エンジン（画像再構成部３３６等）の動作状態、並びに、上述したＸ線管３１２ａ及び検出器３１３の温度管理を考慮する必要がある。
【００３９】
また、医用画像診断装置３０−２であるＸ線診断装置も、Ｘ線画像データの撮影に用いる複数の装置（Ｘ線管、検出器、Ｃアーム、コンソール装置）それぞれに電力を供給する電源部を有する。そして、Ｘ線診断装置のコンソール装置が有する制御部は、この電源部から供給される電力を制御する機能を有する。そして、Ｘ線診断装置の制御部は、医用画像診断装置３０−２の電力モードを、稼動モードと省電力モードとのいずれかに切り替える。なお、Ｘ線ＣＴ装置と同様に、Ｘ線診断装置でも、稼動モードと省電力モードとの切り替え制御には、コンソール装置の画像生成エンジンの動作状態、並びに、Ｘ線管及び検出器の温度管理を考慮する必要がある。
【００４０】
また、医用画像診断装置３０−３であるＭＲＩ装置も、ＭＲＩ画像データの撮影に用いる複数の装置（静磁場コイル、傾斜磁場コイル、送信コイル、受信コイル、コンソール装置）それぞれに電力を供給する電源部を有する。そして、ＭＲＩ装置のコンソール装置が有する制御部は、この電源部から供給される電力を制御する機能を有する。そして、ＭＲＩ装置の制御部は、ＭＲＩ装置としての医用画像診断装置３０−３の電力モードを、稼動モードと省電力モードとのいずれかに切り替える。なお、ＭＲＩ装置における稼動モードと省電力モードとの切り替え制御には、コンソール装置の再構成エンジンの動作状態、静磁場コイル、傾斜磁場コイル、ＲＦ磁場を発生する送信コイル及びＭＲ信号を受信する受信コイルを安定化させるための管理を考慮する必要がある。
【００４１】
ここで、上述したように、図１に示す管理システム１は、複数の医用画像診断装置（３０−１、３０−２、３０−３、・・・、３０−ｎ）と、これら複数の医用画像診断装置（３０−１、３０−２、３０−３、・・・、３０−ｎ）と院内ネットワーク２を介して接続される管理装置としてのサーバ１０とを含む。サーバ１０は、クライアント端末２０を用いて登録された検査予約情報を、院内ネットワーク２を介して取得することが可能である。そこで、第１の実施形態に係るサーバ１０には、図１に示す各医用画像診断装置３０の電力モードを、検査予約情報に基づいて一括管理する機能が付加されている。
【００４２】
第１の実施形態に係るサーバ１０は、電力モードを管理するために、図３に示すように構成される。図３は、第１の実施形態に係るサーバの構成例を説明するための図である。なお、図３では、サーバ１０が電力モードを管理するために用いる構成要素のみをブロックとして示し、それ以外の構成要素については図示していない。
【００４３】
図３に例示するように、第１の実施形態に係るサーバ１０は、記憶部１０ａと、管理部１０ｂと、通信部１０ｃとを有する。通信部１０ｃは、ＮＩＣ（Network  Interface  Card）等であり、管理システム１に含まれる他の装置との間で、院内ネットワーク２を介した通信を行なう。通信部１０ｃは、各医用画像診断装置３０から、種々の情報を取得して、取得した情報を記憶部１０ａに格納する。
【００４４】
記憶部１０ａは、院内ネットワーク２を介して登録された検査予約情報を記憶する。具体的には、通信部１０ｃは、クライアント端末２０から院内ネットワーク２を介して検査予約情報を取得し、取得した検査予約情報を記憶部１０ａに格納する。これにより、例えば、記憶部１０ａは、２０１３年４月１０日において、医用画像診断装置３０−１を用いて行なう予定の複数回の検査それぞれの開始時刻を記憶する。
【００４５】
管理部１０ｂは、複数の医用画像診断装置（３０−１、３０−２、３０−３、・・・、３０−ｎ）それぞれが有する電源部を管理する機能を有する。そして、管理部１０ｂは、複数の医用画像診断装置（３０−１、３０−２、３０−３、・・・、３０−ｎ）それぞれの電力モードを、稼動モードと省電力モードとのいずれかに切り替える指示を、検査予約情報に基づいて送出する。具体的には、管理部１０ｂは、通信部１０ｃを介して、各医用画像診断装置３０に、検査予約情報に基づく電力モードの切り替え指示を送出する。そして、電力モードの管理対象となる医用画像診断装置３０が有する制御部（例えば、制御部３３８）は、院内ネットワーク２を介してサーバ１０から受信した電力モードの移行指示に基づいて、稼動モードと、省電力モードとのいずれかに切り替える。
【００４６】
ここで、管理部１０ｂは、電力モードの管理対象となる医用画像診断装置３０が有する電源部から供給される電力のオン及びオフ、又は、電力レベルを管理して、当該医用画像診断装置３０の電力モードの切り替えを行なう。また、管理部１０ｂは、省電力モードが複数段階の省電力モードとなるように管理する。かかる管理を行なうための情報は、検査予約情報とともに、記憶部１０ａに格納されている。図４及び図５は、図３に示す記憶部が記憶する電源管理情報の一例を説明するための図である。
【００４７】
図４は、例えば、Ｘ線ＣＴ装置である医用画像診断装置３０−１に設定されている第１レベルの省電力モード、第２レベルの省電力モード及び第３レベルの省電力モードを示している。第１レベルの省電力モードは、図４に示すように、「再構成エンジンを停止」する省電力モードである。ただし、「再構成エンジンを停止」とは、画像再構成部３３６のハードウェアに供給される電力を必ずしも完全に「オフ」にすることではない。図４に示す「再構成エンジンを停止」とは、画像再構成部３３６のメモリ上のデータを全てコンソール装置３３０のハードディスクに待避して、画像再構成部３３６のハードウェアに供給する電力を低減させることを意味する。或いは、図４に示す「再構成エンジンを停止」とは、画像再構成部３３６のメモリ上のデータをそのまま残したうえで、画像再構成部３３６のハードウェアに供給する電力を低減させることを意味する。
【００４８】
また、第２レベルの省電力モードは、図４に示すように、第１レベルの省電力モードに加えて「Ｘ線系を停止する」省電力モードである。ここで、「Ｘ線系を停止する」とは、例えば、Ｘ線管３１２ａに供給する電力（フィラメント電流）を「オフ」にし、更に、Ｘ線管３１２ａに取り付けられている冷却装置に供給する電力を「オフ」にすることを意味する。
【００４９】
また、第３レベルの省電力モードは、図４に示すように、第２レベルの省電力モードに加えて「検出系を停止する」省電力モードである。ここで、「検出系を停止する」とは、例えば、検出器３１３に接続されるヒーターに供給する電力を「オフ」にすることを意味する。
【００５０】
また、図５は、図４に示す各レベルの省電力モードに移行可能な条件（移行可能条件）と、各レベルの省電力モードからの回復に要する時間（回復時間）とを示している。図５に示す一例では、稼動モードから第１レベルの省電力モードへの移行可能条件が「再構成キューが完了」であることを示している。また、図５に示す一例では、第１レベルの省電力モードから稼動モードへの回復時間が「５分」であることを示している。
【００５１】
また、図５に示す一例では、稼動モードから第２レベルの省電力モードへの移行可能条件が「２０分以内に検査予定無し」であることを示している。また、図５に示す一例では、第２レベルの省電力モードから稼動モードへの回復時間、又は、第２レベルの省電力モードから第１レベルの省電力モードへの回復時間が「１０分」であることを示している。第２レベルの省電力モードの回復時間は、Ｘ線管３１２ａのウォームアップに要する時間を含む時間である。
【００５２】
また、図５に示す一例では、稼動モードから第３レベルの省電力モードへの移行可能条件が「２時間以上検査予定無し」であることを示している。また、図５に示す一例では、第３レベルの省電力モードから稼動モードへの回復時間、又は、第３レベルの省電力モードから第２レベルの省電力モードへの回復時間が「１時間」であることを示している。第３レベルの省電力モードの回復時間は、検出器３１３のウォームアップに要する時間を含む時間である。
【００５３】
通信部１０ｃは、図４及び図５に対応する電源管理情報を各医用画像診断装置３０から取得し、記憶部１０ａに格納する。具体的には、通信部１０ｃは、各医用画像診断装置３０の管理者（検査技師）から図４及び図５に対応する電源管理情報を取得し、記憶部１０ａに格納する。
【００５４】
サーバ１０の管理部１０ｂは、電源管理情報として記憶部１０ａに格納された移行可能条件を参照して、各医用画像診断装置３０に対して、該当するレベルの省電力モードへの移行を指示する。また、管理部１０ｂは、省電力モードへの移行を、例えば、第１レベルから第２レベルへと、レベルを変更して行なっても良い。また、管理部１０ｂは、検査予約時刻が近づく等により、現時点でのレベルの省電力モードの移行可能条件を満たさなくなった場合、当該レベルの省電力モードの解除を指示する。かかる場合、管理部１０ｂは、省電力モードの解除を、例えば、第２レベルから第１レベルへと、レベルを変更して行なっても良い。
【００５５】
以下、Ｘ線ＣＴ装置である医用画像診断装置３０−１に対して管理部１０ｂが行なう管理について、具体的に説明する。例えば、管理部１０ｂは、「次回検査開始時刻−再構成キュー完了時間」が５分未満である第１の場合、稼動モードに維持する指示を医用画像診断装置３０−１に送出する。
【００５６】
また、例えば、管理部１０ｂは、「次回検査開始時刻−再構成キュー完了時間」が５分以上２０分未満である第２の場合、稼動モードから第１レベルの省電力モードに移行する指示を医用画像診断装置３０−１に送出する。そして、例えば、管理部１０ｂは、次回検査開始時刻の５分前に、第１レベルの省電力モードを解除して、稼動モードに移行する指示を医用画像診断装置３０−１に送出する。第１レベルの省電力モードの解除は、再構成エンジンの再起動を意味する。
【００５７】
また、例えば、管理部１０ｂは、「次回検査開始時刻−再構成キュー完了時間」が２０分以上２時間未満である第３の場合、稼動モードから第２レベルの省電力モードに移行する指示を医用画像診断装置３０−１に送出する。或いは、例えば、管理部１０ｂは、稼動モードから第１レベルの省電力モードに移行し、その後、第１レベルの省電力モードから第２レベルの省電力モードに移行する指示を医用画像診断装置３０−１に送出する。
【００５８】
そして、第３の場合、例えば、管理部１０ｂは、次回検査開始時刻の１０分前に、第２レベルの省電力モードを解除して、稼動モードに移行する指示を医用画像診断装置３０−１に送出する。或いは、第３の場合、例えば、管理部１０ｂは、次回検査開始時刻の１０分前に、第２レベルの省電力モードを解除して、第１レベルの省電力モードに移行する指示を医用画像診断装置３０−１に送出する。その後、例えば、管理部１０ｂは、次回検査開始時刻の５分前に、第１レベルの省電力モードを解除して、稼動モードに移行する指示を医用画像診断装置３０−１に送出する。第２レベルの省電力モードから第１レベルの省電力モードへの移行は、Ｘ線系の再起動を意味する。
【００５９】
また、例えば、管理部１０ｂは、「次回検査開始時刻−再構成キュー完了時間」が２時間以上である第４の場合、稼動モードから第３レベルの省電力モードに移行する指示を医用画像診断装置３０−１に送出する。或いは、例えば、管理部１０ｂは、稼動モードから第１レベルの省電力モードに移行し、その後、第１レベルの省電力モードから第２レベルの省電力モードに移行し、その後、第２レベルの省電力モードから第３レベルの省電力モードに移行する指示を医用画像診断装置３０−１に送出する。
【００６０】
そして、第４の場合、例えば、管理部１０ｂは、次回検査開始時刻の１時間前に、第３レベルの省電力モードを解除して、稼動モードに移行する指示を医用画像診断装置３０−１に送出する。或いは、第４の場合、例えば、管理部１０ｂは、次回検査開始時刻の１時間前に、第３レベルの省電力モードを解除して、第２レベルの省電力モードに移行する指示を医用画像診断装置３０−１に送出する。その後、例えば、管理部１０ｂは、次回検査開始時刻の１０分前に、第２レベルの省電力モードを解除して、第１レベルの省電力モードを稼動モードに移行する指示を医用画像診断装置３０−１に送出する。その後、例えば、管理部１０ｂは、次回検査開始時刻の５分前に、第１レベルの省電力モードを解除して、稼動モードに移行する指示を医用画像診断装置３０−１に送出する。第３レベルの省電力モードから第２レベルの省電力モードへの移行は、検出系の再起動を意味する。
【００６１】
図６は、第１の実施形態に係るサーバの管理処理の概要を説明するための図である。サーバ１０が有する管理部１０ｂは、検査予約情報から医用画像診断装置３０−１を用いた検査の予約時刻を抽出する。そして、管理部１０ｂは、図４及び図５に例示した電源管理情報を参照して、図６に示すように、予約時刻に基づく再起動の指示を、医用画像診断装置３０−１に送出する。かかる管理処理を、管理部１０ｂは、各医用画像診断装置３０に対して行なう。これにより、第１の実施形態に係るサーバ１０は、管理システム１に含まれる複数の医用画像診断装置（３０−１、３０−２、３０−３、・・・、３０−ｎ）の電力モードの管理を一括して行なうことができる。
【００６２】
また、第１の実施形態では、各医用画像診断装置３０の稼動モードから省電力モードへの切り替え、並びに、各医用画像診断装置３０の省電力モードから稼動モードへの切り替えを、各医用画像診断装置３０で推奨されている複数レベルの省電力モードで行なうことができる。このため、電源部から供給される電力が急激に変化することで、各医用画像診断装置３０を構成する各機器に不要な故障が発生することを回避することができる。なお、第１の実施形態は、各医用画像診断装置３０の省電力モードが１段階である場合であっても良い。
【００６３】
なお、Ｘ線系のウォームアップを含む再起動や、検出系のウォームアップを含む再起動を行なう際には、検査室周辺の状況確認を行なう必要がある。このため、第１の実施形態では、サーバ１０は、再起動の指示を送出するとともに、電力モードの管理対象である医用画像診断装置３０の操作者（検査技師等）の確認を得ることが必要となる。そこで、電力モードの管理対象となる医用画像診断装置３０は、管理部１０ｂから受信した稼動モードへの移行指示を承認した操作者が正規の操作者であると認証された場合に、当該移行指示を実行する。すなわち、電力モードの一括管理が行なわれる場合でも、電力モードの管理対象となる医用画像診断装置３０は、従来のセキュリティシステムを解除しない。
【００６４】
図７は、第１の実施形態に係る管理システムで行なわれる認証処理の一例を示す図である。例えば、医用画像診断装置３０−１の制御部３３８は、Ｘ線系の再起動指示を受信した場合、表示装置３３２に、図７の左図に示すＧＵＩを表示させる。このＧＵＩには、図７の左図に示すように、「Ｘ線系の再起動が必要です。再起動しますか？」との文字とともに、「ＯＫ」ボタン及び「Ｃａｎｃｅｌ」ボタンが表示される。ここで、Ｘ線系の再起動を承認した操作者が、入力装置３３１のマウスを操作して、カーソルを「ＯＫ」ボタン上に移動し、マウスをクリックした場合、制御部３３８の制御により、表示装置３３２は、図７の中図に示すように、ユーザ名及びパスワードを入力するためのＧＵＩを表示する。
【００６５】
そして、制御部３３８は、操作者が入力したユーザ名及びパスワードが事前に登録されているユーザ名及びパスワードに合致している場合、Ｘ線系の再起動を承認した操作者が正規の操作者であると認証する。そして、制御部３３８の制御により、表示装置３３２は、図７の左図に示すように、「認証が成功しました。再起動します。」との文字を表示する。そして、制御部３３８は、電源部３４０を制御して、Ｘ線照射制御部３１１への電力の供給をオンにする。
【００６６】
図７に例示した認証処理を行なうことで、例えば、撮影開始時刻が若干遅れるために、再起動時間を若干遅らせたいという正規の操作者の要望に合わせて再起動処理を行なうことができる。また、図７に例示した認証処理を行なうことで、正規の操作者以外の人物が誤って再起動を承認することを防止することができる。
【００６７】
上述したように、第１の実施形態では、サーバ１０が管理システム１に含まれる全ての医用画像診断装置群の電力モードの管理を、検査予約情報に基づいて、一括して行なう。
管理システム１に含まれる全ての電力モードを管理可能であることから、第１の実施形態に係るサーバ１０は、予約に従った検査だけでなく、緊急の検査にも対応することが可能となる。すなわち、第１の実施形態に係るサーバ１０は、消費電力低減と緊急対応とを両立することができる。この点については、第２の実施形態において詳細に説明する。
【００６８】
（第２の実施形態）
まず、第２の実施形態に係る管理システムの構成例について説明する。図８は、第２の実施形態に係る管理システムの構成例を説明するための図である。
【００６９】
図８に示すように、第２の実施形態に係る管理システム３は、図１に示す管理システム１と同様に、サーバ１０と、クライアント端末２０と、複数の医用画像診断装置（３０−１、３０−２、３０−３、・・・、３０−ｎ）とを含み、各装置は、院内ネットワーク２により、直接的、又は間接的に相互に通信可能な状態となっている。なお、第２の実施形態においても、図８に示す各医用画像診断装置を、医用画像診断装置３０と記載する場合がある。また、クライアント端末２０は、第１の実施形態と同様、管理システム３に複数台設置される。
【００７０】
ここで、第２の実施形態に係る管理システム３に示す院内ネットワーク２は、院内ＬＡＮとして機能するとともに、電話網としても機能する。そして、第２の実施形態に係る管理システム３は、図１の管理システム１と比較して、更に、救急専用電話４０−１と、院内電話４０−２〜４０−５と、携帯端末４０−６とを含む。救急専用電話４０−１と、院内電話４０−２〜４０−５とは、有線により院内ネットワーク２と接続される。救急専用電話４０−１は、救急要請を受け付ける救急センターの電話オペレーターが使用者である固定電話である。救急専用電話４０−１は、公衆通信網４を介して、救急電話５０と接続される。
【００７１】
また、院内電話４０−２は、医師が使用者である固定電話であり、院内電話４０−３は、救命室に設置された固定電話であり、院内電話４０−４は、処置室に設置された固定電話であり、院内電話４０−５は、ナースステーションに設置された固定電話である。また、携帯端末４０−６は、無線により院内ネットワーク２と接続される。携帯端末４０−６は、病院内で勤務する医師や検査技師、看護師に配布された無線端末であり、例えば、ＰＨＳ（Personal  Handy-phone  System）や、携帯電話である。
【００７２】
そして、図８に示すサーバ１０は、図３に示すサーバ１０と同様に構成される。すなわち、図８に示すサーバ１０は、記憶部１０ａと、管理部１０ｂと、通信部１０ｃとを有する。第２の実施形態においても、管理部１０ｂは、第１の実施形態で説明したように、管理システム３に含まれる全ての医用画像診断装置群の電力モードの管理を、検査予約情報に基づいて、一括して行なう。
【００７３】
そして、第２の実施形態に係る管理部１０ｂは、更に、緊急検査の要求を受け付けた時点で、複数の医用画像診断装置（３０−１、３０−２、３０−３、・・・、３０−ｎ）の全ての中で、省電力モードの医用画像診断装置に対して、稼動モードへと移行する指示を送出する。又は、第２の実施形態に係る管理部１０ｂは、更に、緊急検査の要求を受け付けた時点で、一部の医用画像診断装置３０の中で、省電力モードの医用画像診断装置に対して、稼動モードへと移行する指示を送出する。
【００７４】
なお、上記の「一部の医用画像診断装置」は、複数の医用画像診断装置（３０−１、３０−２、３０−３、・・・、３０−ｎ）の中で予め設定された少なくとも１つの医用画像診断装置３０である。又は、上記の「一部の医用画像診断装置」は、複数の医用画像診断装置（３０−１、３０−２、３０−３、・・・、３０−ｎ）の中で緊急検査の要求に応じて指定された少なくとも１つの医用画像診断装置３０である。
【００７５】
第２の実施形態においては、図８に示す電話群は、緊急検査の要求を受け付けるために、電話網として機能する院内ネットワーク２を介して管理システム３に組み込まれる。
【００７６】
すなわち、管理部１０ｂは、救急電話５０と連動して、緊急検査の要求に応じた電力モードの管理を行なう。また、管理部１０ｂは、院内電話４０−１〜４０−５と連動して、緊急検査の要求に応じた電力モードの管理を行なう。院内電話４０−１〜４０−５は、院内ネットワーク２に有線接続された機器である。すなわち、管理部１０ｂは、院内ネットワーク２に有線接続された機器と連動して、緊急検査の要求に応じた電力モードの管理を行なう。また、管理部１０ｂは、院内ネットワーク２に無線接続された無線端末（携帯端末４０−６）と連動して、緊急検査の要求に応じた電力モードの管理を行なう。管理部１０ｂは、各電話に設定された操作情報を受信することで、緊急検査の要求を受け付ける。
【００７７】
以下、図９〜図１１を用いて、第２の実施形態に係る管理部１０ｂの処理を具体的に説明する。第２の実施形態に係る管理部を説明するための図である。
【００７８】
例えば、緊急検査の要求に応じた電力モードの管理対象となる装置は、図９の（Ａ）に示すように、複数の医用画像診断装置（３０−１、３０−２、３０−３、・・・、３０−ｎ）の全てである。
【００７９】
或いは、例えば、緊急検査の要求に応じた電力モードの管理対象となる装置は、図９の（Ｂ）に示すように、救急対応装置群として設定されている医用画像診断装置３０−１（Ｘ線ＣＴ装置）、医用画像診断装置３０−２（Ｘ線診断装置）及び医用画像診断装置３０−３（ＭＲＩ装置）である。なお、救急対応装置群以外の医用画像診断装置群は、例えば、検査予約対応用の医用画像診断装置群として設定される。
【００８０】
或いは、例えば、緊急検査の要求に応じた電力モードの管理対象となる装置は、図９の（Ｃ）に示すように、緊急検査の要求を受け付けた医師が、患者の容態に基づいて指定した医用画像診断装置３０−１（Ｘ線ＣＴ装置）及び医用画像診断装置３０−２（Ｘ線診断装置）である。
【００８１】
図９の（Ａ）及び図９の（Ｂ）に示す設定方法は、例えば、緊急検査の要求を受け付けた人物が、必要となる検査の種類を判断できない場合に適用される。また、図９の（Ｃ）に示す指定方法は、例えば、緊急検査の要求を受け付けた医師である場合に適用される。
【００８２】
例えば、図９の（Ａ）に示す設定方法、又は、図９の（Ｂ）に示す設定方法が適用される一例を図１０及び図１１に示す。以下では、図９の（Ｂ）に示す設定方法が管理部１０ｂに設定されている場合について説明する。図１０では、救急電話５０からの救急要請を救急専用電話４０−１の電話オペレーターが受け付ける。電話オペレーターは、例えば、電話オペレーター用の卓に設けられたボタンを押下する。かかるボタンは、院内ネットワーク２に接続されており、ボタンが押下された旨の情報が、サーバ１０の通信部１０ｃにて受信される。
【００８３】
通信部１０ｃは、オペレーター卓のボタンが押下された旨の情報を管理部１０ｂに通知する。管理部１０ｂは、通知された緊急検査の要求が、オペレーター卓のボタンが押下された旨の情報に基づくものであることから、省電力エネルギーへの移行対象の装置、すなわち、再起動対象の装置を、救急対応装置群であると判定する。そして、管理部１０ｂは、自身が行なった電源管理の履歴から、或いは、救急対応装置群の各制御部に問い合わせを行なうことで、救急対応装置群の中で、例えば、医用画像診断装置３０−１が省電力モードであると判定する。そして、サーバ１０（管理部１０ｂ）は、図１０に示すように、医用画像診断装置３０−１に対して、救急要請による再起動の指示を送出する。
【００８４】
一方、図１１では、入院患者の急変があった際に、例えば、看護師は、ナースステーションの院内電話４０−５のボタンを押下する。看護師は、例えば、院内電話４０−５のボタン「＃」を押し、更に、「０」を押す。これにより、「＃、０」が押下された旨の情報が、院内ネットワーク２を介して、サーバ１０の通信部１０ｃにて受信される。
【００８５】
管理部１０ｂは、通知された緊急検査の要求が、「＃、０」であることから、省電力エネルギーへの移行対象の装置を、救急対応装置群であると判定する。そして、管理部１０ｂは、自身が行なった電源管理の履歴から、或いは、救急対応装置群の各制御部に問い合わせを行なうことで、救急対応装置群の中で、例えば、医用画像診断装置３０−１が省電力モードであると判定する。そして、サーバ１０（管理部１０ｂ）は、図１１に示すように、医用画像診断装置３０−１に対して、院内緊急連絡による再起動の指示を送出する。
【００８６】
なお、図１０に示す変形例として、電話オペレーターは、救急専用電話４０−１と接続されている救急電話５０を院内電話４０−２に転送する。院内電話４０−２を使用する医師は、救急電話５０の使用者から患者の容態を聞きだして、例えば、医用画像診断装置３０−１（Ｘ線ＣＴ装置）及び医用画像診断装置３０−２（Ｘ線診断装置）による検査が必要であると判断する。そして、医師は、例えば、院内電話４０−２のボタン「＃」を押し、更に、「１」及び「２」を押す。これにより、「＃、１、２」が押下された旨の情報が、院内ネットワーク２を介して、サーバ１０の通信部１０ｃにて受信される。
【００８７】
管理部１０ｂは、通知された緊急検査の要求が、「＃、１、２」であることから、省電力エネルギーへの移行対象の装置を、医用画像診断装置３０−１及び医用画像診断装置３０−２であると判定する。そして、管理部１０ｂは、自身が行なった電源管理の履歴から、或いは、救急対応装置群の医用画像診断装置３０−１及び医用画像診断装置３０−２それぞれの制御部に問い合わせを行なうことで、例えば、医用画像診断装置３０−１が省電力モードであると判定する。そして、サーバ１０（管理部１０ｂ）は、医用画像診断装置３０−１に対して、救急要請による再起動の指示を送出する。
【００８８】
また、図１１に示す変形例として、ナースステーションに設置された院内電話４０−５の呼び出しにより、携帯端末４０−６で救急呼び出しを受けた当直の医師は、患者の容態を聞きだして、例えば、医用画像診断装置３０−１による検査が必要であると判断する。そして、医師は、例えば、携帯端末４０−６のボタン「＃」を押し、更に、「１」を押す。これにより、「＃、１」が押下された旨の情報が、院内ネットワーク２を介して、サーバ１０の通信部１０ｃにて受信される。
【００８９】
管理部１０ｂは、通知された緊急検査の要求が、「＃、１」であることから、省電力エネルギーへの移行対象の装置を、医用画像診断装置３０−１及び医用画像診断装置３０−２であると判定する。そして、管理部１０ｂは、自身が行なった電源管理の履歴から、或いは、救急対応装置群の医用画像診断装置３０−１の制御部３３８に問い合わせを行なうことで、例えば、医用画像診断装置３０−１が省電力モードであると判定する。そして、サーバ１０（管理部１０ｂ）は、医用画像診断装置３０−１に対して、救急要請による再起動の指示を送出する。
【００９０】
なお、上記の説明で記載したボタン操作は、あくまでも一例であり、緊急検査の要求の内容を管理部１０ｂが判定するための操作は、管理システム３の管理者により任意に変更可能である。また、緊急検査の要求を行なうための装置は、例えば、ベッドサイドに配置されたナースコールのボタンや、ベッドサイドに配置された緊急検査用の専用ボタン、病室の壁に配置された緊急検査用の専用ボタンであっても良い。これらボタンも、院内ネットワーク２に有線接続された機器であり、管理部１０ｂは、院内ネットワーク２に有線接続されたボタンと連動して、緊急検査の要求に応じた電力モードの管理を行なう。また、緊急検査の要求を行なうための装置は、有線通信、又は、無線通信可能なクライアント端末２０であっても良い。
【００９１】
ここで、緊急検査に対応するためには、速やかに稼動モードに移行可能であることが望ましい。そこで、第２の実施形態に係る管理部１０ｂは、複数の医用画像診断装置（３０−１、３０−２、３０−３、・・・、３０−ｎ）の全て、又は、一部の医用画像診断装置（例えば、救急対応装置群）の省電力モードのレベルを、所定時間内に稼動モードに移行可能なレベルに設定しても良い。例えば、管理部１０ｂは、医用画像診断装置３０−１、３０−２、３０−３の省電力モードのレベルを、１０分以内に稼動モードに移行可能なレベル２までと設定する（図５を参照）。
【００９２】
次に、図１２を用いて、第２の実施形態に係るサーバ１０の処理について説明する。図１２は、第２の実施形態に係るサーバの処理例を示すフローチャートである。
【００９３】
図１２に示すように、第２の実施形態に係るサーバ１０の管理部１０ｂは、緊急検査の要求を受け付けたか否かを判定する（ステップＳ１０１）。ここで、緊急検査の要求を受け付けない場合（ステップＳ１０１否定）、管理部１０ｂは、緊急検査の要求を受け付けるまで待機する。なお、管理部１０ｂは、緊急検査の他に、第１の実施形態で説明した検査予約情報に基づく管理を並行して行なっている。
【００９４】
一方、緊急検査の要求を受け付けた場合（ステップＳ１０１肯定）、管理部１０ｂは、緊急検査の要求に関する情報から判定した緊急対応用の医用画像診断装置群の電力モードを取得する（ステップＳ１０２）。そして、管理部１０ｂは、取得した電力モードが全て稼動モードであるか否かを判定する（ステップＳ１０３）。ここで、取得した電力モードが全て稼動モードである場合（ステップＳ１０３肯定）、管理部１０ｂは、ステップＳ１０１で受け付けた緊急対応の処理を終了する。なお、その後、管理部１０ｂは、再度、ステップＳ１０１の判定を行なう。
【００９５】
一方、取得した電力モードが全て稼動モードで無かった場合（ステップＳ１０３否定）、管理部１０ｂは、省電力モードの医用画像診断装置を稼動モードに移行する指示を送出し（ステップＳ１０４）、ステップＳ１０１で受け付けた緊急対応の処理を終了する。なお、その後、管理部１０ｂは、再度、ステップＳ１０１の判定を行なう。
【００９６】
上述したように、第２の実施形態では、医用画像診断装置群全ての電力モードを管理する管理部１０ｂを用いることで、緊急対応用の医用画像診断装置群を一括して稼動モードに移行させる。従って、第２の実施形態では、消費電力低減と緊急対応とを両立することができる。また、第２の実施形態では、管理システム３に電話網を組み込み、病院内の様々な医療従事者が電話網に接続される電話を利用して緊急検査の要求を行なうので、緊急対応用の医用画像診断装置群を簡易に一括して稼動モードに移行させることができる。ここで、緊急検査の要求をおこなうための機器（ＰＣや携帯電話等）は、院内ネットワーク２に専用回線で接続されても良い。例えば、携帯端末４０−６は、院内ネットワーク２にＶＰＮ（Virtual  Private  Network）経由で接続される場合であっても良い。かかる場合、管理部１０ｂは、院内ネットワーク２に専用回線で接続された機器と連動して、緊急検査の要求に応じた電力モードの管理を行なうこととなる。ＶＰＮ等の専用回線を用いることで、悪意のある第３者により緊急検査の要求が行なわれることを回避することができる。
【００９７】
また、第２の実施形態では、例えば、救急対応装置群の省電力モードを、１０分以内に稼動モードに再起動可能なレベルに設定する。これにより、第２の実施形態では、例えば、救急対応装置群を速やかに再起動することができる。なお、レベル設定を行なう場合は、消費電力と緊急対応とのいずれかに重きを置くかで、任意のレベルに変更可能である。
【００９８】
なお、上記では、緊急検査の要求を受け付けた時点で電力モードを管理する装置が医用画像診断装置群である場合について説明した。ここで、通常、管理システム３（管理システム１）には、医用画像診断装置３０が撮影した医用画像データに対して画像処理による解析を行なう画像処理装置が設置される。かかる画像処理装置は、例えば、画像処理用のワークステーションである。画像処理装置は、画像診断を行なわない場合には、通常、シャットダウンされていたり、スリープモード状態であったり、休止状態であったりする。かかる画像処理装置の再起動には、一般的なＰＣと比較して時間がかかる。
【００９９】
このため、緊急検査で撮影された医用画像データを用いた画像診断を速やかに行なうためには、稼動モードへと移行された医用画像診断装置が撮影した医用画像データの解析を行なう画像処理装置が、稼動可能な状態、すなわち、画像処理による解析可能な稼動モードであることが望ましい。
【０１００】
そこで、第２の実施形態の変形例に係る管理部１０ｂは、緊急検査の要求を受け付けた時点で、稼動モードへと移行する指示を送出した医用画像診断装置が撮影した医用画像データの解析を行なう画像処理装置の電力モードが省電力モードである場合に、稼動モードに移行する指示を当該画像処理装置に送出する。図１３は、第２の実施形態の変形例を説明するための図である。
【０１０１】
例えば、サーバ１０の管理部１０ｂは、図１３に示すように、救急要請による再起動の指示を、医用画像診断装置３０−１に送出するとともに、医用画像診断装置３０−１が撮影した医用画像データの解析を行なう画像処理装置６０に対しても、救急要請による再起動の指示を送出する。これにより、画像処理装置６０の制御部は、自装置の電源部を制御して、画像処理装置６０の画像処理エンジンを再起動させる。
【０１０２】
第２の実施形態の変形例では、電力モードの管理対象を、画像処理装置群にも拡げることで、緊急対応の検査を効率的に行なうことができる。
【０１０３】
なお、上記の第１の実施形態及び第２の実施形態では、管理システム１及び管理システム３の全体管理を行なうサーバ１０が、システム内の医用画像診断装置群の電力モードの管理を行なう管理装置として機能する場合について説明した。しかし、上記の第１の実施形態及び第２の実施形態は、システム内の医用画像診断装置群の電力モードの管理を行なう管理装置が、サーバ１０とは独立して設置される場合であっても良い。
【０１０４】
また、上記の第１の実施形態及び第２の実施形態は、システム内の医用画像診断装置群の電力モードの管理を行なう管理装置の機能が、例えば、医用画像診断装置３０−１に組み込まれる場合であっても良い。また、上記の第１の実施形態及び第２の実施形態は、例えば、記憶部１０ａと管理部１０ｂとが、別の装置に分散して設置される場合であっても良い。
【０１０５】
すなわち、上記の第１の実施形態及び第２の実施形態において図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況等に応じて、任意の単位で機能的又は物理的に分散・統合して構成することができる。更に、各装置にて行なわれる各処理機能は、その全部又は任意の一部が、ＣＰＵ及び当該ＣＰＵにて解析実行されるプログラムにて実現され、或いは、ワイヤードロジックによるハードウェアとして実現され得る。
【０１０６】
また、上記の第１の実施形態及び第２の実施形態において説明した各処理のうち、自動的に行なわれるものとして説明した処理の全部又は一部を手動的に行なうこともでき、或いは、手動的に行なわれるものとして説明した処理の全部又は一部を公知の方法で自動的に行なうこともできる。この他、上記文書中や図面中で示した処理手順、制御手順、具体的名称、各種のデータやパラメータを含む情報については、特記する場合を除いて任意に変更することができる。
【０１０７】
以上、説明したとおり、第１の実施形態及び第２の実施形態によれば、消費電力低減と緊急対応とを両立することができる。
【０１０８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０９】
１  管理システム
２  院内ネットワーク
１０  サーバ
１０ａ  記憶部
１０ｂ  管理部
１０ｃ  通信部
２０  クライアント端末
３０−１、３０−２、３０−３、３０−ｎ  医用画像診断装置
【図１】
2014233549.tif 000003
【図２】
2014233549.tif 000004
【図３】
2014233549.tif 000005
【図４】
2014233549.tif 000006
【図５】
2014233549.tif 000007
【図６】
2014233549.tif 000008
【図７】
2014233549.tif 000009
【図８】
2014233549.tif 000010
【図９】
2014233549.tif 000011
【図１０】
2014233549.tif 000012
【図１１】
2014233549.tif 000013
【図１２】
2014233549.tif 000014
【図１３】
2014233549.tif 000015